(57)【要約】【課題】  引き分け式の防火戸の付け合わせ部に凹凸構造を採用するにあたり、突き合わされる左右の戸先框の耐火性・生産性を向上させる。【解決手段】  引き分け式の防火戸１において、第一戸先側框２１及び第二戸先側框３１を、上下方向に長尺な凹溝２２、３２を戸先同士の対向面に備えた同形状の框部材２ｅからなるものとし、第一戸先側框２１の凹溝２２には、第一戸体２０の戸先側に向けて第一戸先框２１の凹溝２２から突出した凸部材４０が取り付けられたものとし、第一戸体２０と第二戸体３０との戸先同士が突き合わされた際に、凸部材４０が第二戸先側框３１の凹溝３２内に入り込むよう構成した。【選択図】図４
2020070580.tif 000002
【特許請求の範囲】
【請求項１】
左右方向にスライド移動可能であり、互いの戸先が突き合わされて開口部を閉鎖する一対の戸体として、第一戸体及び第二戸体を備え、
前記第一戸体及び第二戸体は、戸先にそれぞれ第一戸先側框、第二戸先側框を備えた、引分け式の防火戸において、
前記第一戸先側框及び第二戸先側框は、上下方向に長尺な凹溝を戸先同士の対向面に備えた同形状の框部材からなり、
第一戸先側框の凹溝には、第一戸体の戸先側に向けて第一戸先側框の凹溝から突出した凸部材が取り付けられており、
前記凸部材は、第一戸体と第二戸体との戸先同士が突き合わされた際に、第二戸先側框の凹溝内に入り込むよう構成されていることを特徴とする防火戸。
【請求項２】
前記第一戸先側框及び第二戸先側框の内部にはそれぞれ、前記框部材よりも融点が高い金属材からなる同形状の補強材が配設されていることを特徴とする請求項１記載の防火戸。
【請求項３】
前記凸部材は、先端部が先細形状となっていることを特徴とする請求項１又は２に記載の防火戸。
【請求項４】
前記凸部材は、前記第一戸先側框の戸先側先端よりも突出した位置から先細形状となっていることを特徴とする請求項１〜３の何れか１記載の防火戸。
【請求項５】
前記凸部材は、前記框部材と同じ素材で形成されていることを特徴とする請求項１〜４の何れか１記載の防火戸。
【請求項６】
前記凸部材の先端には、第二戸先側框の凹溝の溝底に当接する緩衝材が取り付けられていることを特徴とする請求項１〜５の何れか１記載の防火戸。
【請求項７】
前記第一戸先側框の凹溝には、前記凸部材を第一戸先側框に係止するための係止部が設けられていることを特徴とする請求項１〜６の何れか１記載の防火戸。
【発明の詳細な説明】
【技術分野】
【０００１】
本発明は、引戸式の防火戸に関する。
【背景技術】
【０００２】
一般に、火災時の延焼を防ぐための防火設備として、引戸式の防火戸が知られている。引戸式の防火戸では、閉鎖時に戸先同士又は戸先と縦枠とが突き合わされる突き合わせ部に間隙が生じないようにする構造、すなわち、戸体が閉鎖した際に開口部と直角の方向で火炎を遮る構造が採用されている。このような突き合わせ部の構造としては、例えば相じゃくり構造としたものや、定規縁を設けたもの等が知られている。また、特許文献１、２に記載された引分け式の防火戸では、突き合わせ部において、一方の戸先側框（縦框）に凹部、他方の戸先側框に凸部を設け、閉鎖時に凹部と凸部が重なり合うことで火炎を遮る構造が採用されている。
【先行技術文献】
【特許文献】
【０００３】
【特許文献１】特開平８−２８４５４４号公報
【特許文献２】特開２０１７−３１６１３号公報
【発明の概要】
【発明が解決しようとする課題】
【０００４】
ところで、特許文献１、２に記載されたような凹凸構造を採用した場合、突き合わされる戸先側框の形状が左右でそれぞれ異なるため、生産性に問題があるのみならず、火災時に一方の戸先側框の方が熱変形しやすくなり、その結果として間隙が生じて防火性能が低下することが懸念される。特に、一般的な鋼材よりも融点が低いアルミニウム材を戸先側框に用いたような場合に、その懸念は大きくなる。防火戸の突き合わせ部に凹凸構造を採用しつつ、戸先側框の耐火性や生産性を向上させることが望まれている。
【課題を解決するための手段】
【０００５】
本発明は、上記の課題を解決するため鋭意創作されたものであって、請求項１の発明は、左右方向にスライド移動可能であり、互いの戸先が突き合わされて開口部を閉鎖する一対の戸体として、第一戸体及び第二戸体を備え、前記第一戸体及び第二戸体は、戸先にそれぞれ第一戸先側框、第二戸先側框を備えた、引分け式の防火戸において、前記第一戸先側框及び第二戸先側框は、上下方向に長尺な凹溝を戸先同士の対向面に備えた同形状の框部材からなり、第一戸先側框の凹溝には、第一戸体の戸先側に向けて第一戸先側框の凹溝から突出した凸部材が取り付けられており、前記凸部材は、第一戸体と第二戸体との戸先同士が突き合わされた際に、第二戸先側框の凹溝内に入り込むよう構成されていることを特徴とする防火戸である。
請求項２の発明は、前記第一戸先側框及び第二戸先側框の内部にはそれぞれ、前記框部材よりも融点が高い金属材からなる同形状の補強材が配設されていることを特徴とする請求項１記載の防火戸である。
請求項３の発明は、前記凸部材は、先端部が先細形状となっていることを特徴とする請求項１又は２に記載の防火戸である。
請求項４の発明は、前記凸部材は、前記第一戸先側框の戸先側先端よりも突出した位置から先細形状となっていることを特徴とする請求項１〜３の何れか１記載の防火戸である。
請求項５の発明は、前記凸部材は、前記框部材と同じ素材で形成されていることを特徴とする請求項１〜４の何れか１記載の防火戸である。
請求項６の発明は、前記凸部材の先端には、第二戸先側框の凹溝の溝底に当接する緩衝材が取り付けられていることを特徴とする請求項１〜５の何れか１記載の防火戸である。
請求項７の発明は、前記第一戸先側框の凹溝には、前記凸部材を第一戸先側框に係止するための係止部が設けられていることを特徴とする請求項１〜６の何れか１記載の防火戸である。
【発明の効果】
【０００６】
請求項１、７の発明とすることにより、第一戸先側框及び第二戸先側框の框部材を共通のものとしたうえで凹凸構造を採用することができるため、耐火性・生産性に優れる。
請求項２の発明とすることにより、各戸先側框内の補強材同士も同形状とすることができるため、耐火性・生産性に優れる。
請求項３、６の発明とすることにより、指詰めに配慮したものとすることができる。
請求項４の発明とすることにより、指詰めに配慮しつつ、凹溝内での間隙を可及的に少なくすることができる。
請求項５の発明とすることにより、防火戸の開放時に凸部材が露出しても違和感が少なく、意匠性に優れる。
【図面の簡単な説明】
【０００７】
【図１】実施形態に係る防火戸の正面図である。
【図２】図１のＡ−Ａ断面図である。
【図３】防火戸の内部構造を表す縦断面図である。
【図４】突き合わせ部の動作を示す説明図であって、（Ａ）開放時、（Ｂ）閉鎖時のものである。
【図５】片開き戸に用いられた場合の例を示す要部平面断面図である。
【図６】（Ａ）実施形態に係る防火戸の変形例を示す要部平面断面図、（Ｂ）本発明との対比例を示す参考図である。
【発明を実施するための形態】
【０００８】
以下、本発明の第一実施形態について、図面に基づいて詳細に説明する。１は、引戸式の防火戸であって、躯体の開口部に設けられている。防火戸１は、左右方向（見付方向）にスライド移動して開口部を開閉可能な左右一対の引き分け式の戸体として、第一戸体２０及び第二戸体３０と、開口部の開放時に各戸体２０、３０と前後（見込方向）に重なり合う一対のＦＩＸ部３と、各戸体２０、３０及びＦＩＸ部３の上端部に左右方向全域にわたって設けられた無目４と、を備えている。また、本実施形態に係る防火戸１はいわゆる自動ドア式のものであり、無目４の内部には、各戸体２０、３０をスライド移動させて開口部を開閉させるための駆動部５と、左右方向に長尺なレール部６とが配されている。各戸体２０、３０は、その上端部に取り付けられたドアハンガー７を介してレール部６に吊り下げられていて、駆動部５の駆動に基づいて左右方向にスライド移動することで開口部を開閉するよう制御されている。なお、躯体の外部側を前方、内部側を後方として説明するが、便宜上のものであってこれに限定されるものではない。
【０００９】
本実施形態では、正面視で右側の戸体を第一戸体２０、左側の戸体を第二戸体３０とする。第一、第二戸体２０、３０は、自動式吊戸であって、パネル体である耐熱ガラス２ａの四周をアルミニウム材からなる框２ｂにより囲繞されて構成されている。第一、第二戸体２０、３０の四周の框２ｂのうち、上框８、戸尻側框１０、下框１１は互いに左右対称となった共通な構造が採用されている。上框８にはハンガーローラ７ａを有するドアハンガー７が上端部に取り付けらており、ハンガーローラ７ａが左右方向に滑動可能にレール部６のレール６ｂに支持されることで、各戸体２０、３０が左右方向にスライド移動可能に吊り下げられている。
【００１０】
他方、戸先側の框については、第一戸体２０のものを第一戸先側框２１、第二戸体３０のものを第二戸先側框３１とし、各戸体２０、３０の突き合わせ時の防火性能のために、以下の構造が採用されている。第一戸先側框２１及び第二戸先側框３１はいずれも、上下方向に長尺な凹溝２２、３２を戸先同士の対向面に備えた、同形状の框部材２ｅによって構成されている。各戸体２０、３０は、各戸先側框２１、３１の端部同士が突き合わされることで開口部を閉鎖することとなるが、第一戸先側框２１の凹溝２２には、第一戸体２０の戸先側（右側）に向けて凹溝２２から突出した凸部材４０が取り付けられている。そして、第一戸体２０と第二戸体３０との戸先同士が突き合わされた際に、第二戸先側框２１の凹溝３２内に凸部材４０が入り込むようになっている。これによって、戸先同士の突き合わせ部に間隙が生じてしまうことを防止できるため、防火戸１の防火性能を確保することができる。
【００１１】
框部材２ｅは、長尺なアルミニウム材からなり、第一戸先側框２１、第二戸先側框３１に共通に用いられる主要部材である。框部材２ｅは平面視で線対称な形状となっているため、対向する第一戸先側框２１、第二戸先側框３１に共通して用いることができる。框部材２ｅの戸先端側は、各戸先側框２１、３１における凹溝２２、３２が設けられていて、断面略コ字形状を形成している。そして、凹溝２２、３２の内周には、溝底から僅かに戸先端側の位置に、内側に向けて突出した係止凸部２ｆが設けられている。この係止凸部２ｆは、後述するように凸部材４０の後端係止部４２と係合することにより、第一戸先側框２１に凸部材４０を取り付け可能とする係止部である。なお、係止凸部２ｆは上下方向全域にわたって設けてもよいし、一部に設ける、断続的に設ける等としてもよい。
【００１２】
凸部材４０は、框部材２ｅと同様にアルミニウム材からなり、先細形状の先端部４１と、框部材２ｅの係止凸部２ｆと係合する後端係止部４２と、を備えている。そして、凸部材４０の先端部４１にはさらに、第二戸先側框３１の凹溝３２の溝底に緩衝して当接するための緩衝材４３が取り付けられている。このように、凸部材４０の先端部４１を先細形状としたり、緩衝材４３を取り付けたりすることにより、防火性能を確保しつつ指詰め等に配慮された構造となっている。また、凸部材４０と框部材２ｅを同じ素材で形成することで、防火戸１の開放時に露出する凸部材４０が目立たず、意匠性に優れる。
【００１３】
本実施形態における凸部材４０は、前後方向に突出した後端係止部４２の突出元の部分から、先端部４１に向けて先細形状となっている。組付け時には、後端係止部４２を第一戸先側框２１の溝底２２内の係止凸部２ｆと溝底のあいだに挿通させることで、第一戸先側框２１に凸部材４０を取り付けることができるようになっている。また凸部材４０は、防火戸１の閉鎖時に、第二戸先側框３１の溝底３２に緩衝材４３が当接するよう設計されている。すなわち、凸部材４０の左右長さ（突出方向の長さ）は、緩衝材４３まで含めると、凹溝２２、３２の深さの２倍程度となっている。
【００１４】
以上のように、第一戸先側框２１、第二戸先側框３１に共通の框部材２ｅを用い、一方の第一戸先側框２１にのみ凸部材４０を取り付ける構造とすることで、凸部材４０と凹溝３２との凹凸構造による遮断効果を発揮しつつ、生産性を向上することができるとともに、戸先側框同士の熱変形の差異も抑止することができるようになっている。
【００１５】
下框１１には、下方に突出した振れ止め２ｄが設けられている。振れ止め２ｄは、戸体２０、３０の下方に左右方向長尺に設けられたガイドレールＧの凹溝内に左右方向にスライド移動自在に挿入されて、前後方向の移動が規制される。これによって、上部で吊り下げられた戸体２０、３０が駆動部５の駆動に基づいて左右にスライド移動するに際して、戸体２０、３０の下部が前後方向に振れてしまうことを抑止するようになっている。
【００１６】
上框８は、上端部８ａが無目４の下部開口４ａから無目４内部に入り込むよう組み付けられている。そして、上框８、第一、第二戸先側框２１、３１及び戸尻側框１０には、その内部に軟鋼からなる断面略コ字状の補強材２ｃが各見付面に沿って配設されている。補強材２ｃはアルミニウム材からなる框２ｂよりも融点が高く、熱伝導率が低い材料である軟鋼からなるため、補強材２ｃを配することで防火戸１の耐火性が向上することとなる。なお、補強材２ｃを下框１１にも同様に配設してもよい。ここで、第一戸先側框２１と第二戸先側框３１とは、いずれも同形状の框部材２ｅからなるため、その内部に配される補強材２ｃの形状も同形状のものとすることができるようになっている。
【００１７】
ＦＩＸ部３は、耐熱ガラス３ａが、上端部を無目４に、下端部を幅木１２に、左右方向中央側端部を中間方立１３に、他端部を開口部の左右端部に設けられた縦枠１４に、それぞれ挿入・シーリング固定されて四周を囲繞された構成となっている。戸体２０、３０とＦＩＸ部３とは、前後に位置ずれして配されており、ＦＩＸ部３が前側（躯体の外部側）に位置するよう構成されている。これによって、戸体２０、３０が左右にスライド移動するに際し、開口部の開放時には、戸体２０、３０とＦＩＸ部３とが前後に重なり合うようになっている。
【００１８】
躯体の開口部の左右両端部に対向して設けられた一対の縦枠１４は、各部材を挿入して取り付けるための上下方向に長尺な凹溝状の挿入部として、前側から順に第一挿入部１４ａ、第二挿入部１４ｂ及び第三挿入部１４ｃを備えている。本実施形態では、第一挿入部１４ａにはＦＩＸ部３の耐熱ガラス３ａの左右外端部が挿入されシーリングされている一方、第二挿入部１４ｂ及び第三挿入部１４ｃはそれぞれ第二カバー部材１４ｄ、第三カバー部材１４ｅによって覆蓋されている。第二挿入部１４ｂは、無目４の上部に欄間部を設ける場合に、欄間部の耐熱ガラス等のパネルを挿入固定するために用いることができる。また、第三挿入部１４ｃは、図５に示されるように、片開き式の開き戸とした場合に、戸体の戸先端部（本実施形態の凸部材４０）を挿入可能とすることができるものである。この場合には、第一挿入部１４ａが第一カバー部材１４ｆに、第二挿入部１４ｂが第二カバー部材１４ｄに、それぞれ覆蓋されている。他方、第一挿入部１４ａには凸部材４０が入り込み、その溝底に緩衝材４３が当接するようになっている。このような構造の縦枠１４は、種々の構造において採用することができるため、汎用性が高い。
【００１９】
戸尻側框１０と中間方立１３とは、戸体２０、３０が閉鎖位置にあるときに前後に重なり合うように設計されている。戸尻側框１０には、その戸尻端部からＦＩＸ部３側（外部側）に向けて鉤状に延出した煙返し部１０ａが設けられている一方、中間方立１３にも戸尻側框１０側（内部側）に向けて鉤状に延出した煙返し部１３ａが設けられている。そして、戸体２０、３０が閉鎖位置にあるときに、これら煙返し部１０ａ、１３ａ同士が相じゃくり構造をとることにより、火災時に戸体２０、３０とＦＩＸ部３とのあいだから火炎や煙が通過しないように配慮されている。
【００２０】
無目４は、各戸体２０、３０の上部と上枠１９とのあいだに設けられ、外周部としてアルミニウム材からなるケース体１５を備えており、その内部に駆動部５やレール部６が配設されている。駆動部５は、図示しない検知センサにより防火戸１への人等の近接を感知することにより、戸体２０、３０を開方向に移動させるよう制御されている。本実施形態における駆動部５は、電動モータの動力を伝達されたチェーンを変位させることで、チェーンに連結されたドアハンガー７を介して戸体２０、３０をスライド移動させるよう構成された一般的なものとしているが、これに限られず、適宜のものとすることができる。また、無目４の後面には着脱可能なカバー部材１８が設けられており、カバー部材１８を開閉することにより無目４内部の駆動部５やレール部等の点検や調節等が可能となっている。
【００２１】
框部材２ｅ及び凸部材４０の変形例として、図６（Ａ）に示すものとすることができる。この変形例では、框部材２ｅの凹溝２２、３２の溝底が第一実施形態のものより深くなっている。また凸部材４０の左右長さは、突き合わせ時の各凹溝２２、３２の溝底間の左右長さに近くなるため、第一実施形態のものよりも長くなっている。そして、凸部材４０の形状は、前後方向に突出した後端係止部４２を有する後端部から、凹溝２２の先端近傍までは先細形状とならず真っ直ぐに延出した直線部４４を有し、その先から先細形状となっている。このように凹溝の深さを深くし、凸部材４０の左右長さをそれに応じて長くすることで、第一戸体２０と第二戸体３０の突き合わせ時のかかり代を長くすることができ、防火性能が向上する。また、凸部材４０の先端部４１が、第一戸先側框２１の戸先側先端よりも突出した位置から先細形状となっていることにより、間隙が生じてしまうことを可及的に避けることができる。
【００２２】
叙述の如く構成された本発明の実施形態によれば、防火戸１は、第一戸先側框２１及び第二戸先側框３１が上下方向に長尺な凹溝２２、３２を戸先同士の対向面に備えた同形状の框部材２ｅからなり、第一戸先側框２１の凹溝２２には、第一戸体２０の戸先側に向けて凹溝２２から突出した凸部材４０が取り付けられており、第一戸体２０と第二戸体３０との戸先同士が突き合わされた際に、凸部材４０が第二戸先側框３１の凹溝内に入り込むよう構成されている。これによって、戸先側框の框部材を共通のものとしながら、凹凸構造による防火性能を確保することができるため、耐火性・生産性に優れたものとなっている。また、第一、第二戸先側框２１、３１に共通の框部材２ｅが用いられているため、その内部に框部材２ｅよりも融点が高い金属材からなる補強材２ｃを配設するに際し、互いに同形状の補強材２ｃを用いることができる。
【００２３】
この点、図６（Ｂ）で示される対比例のように、左右の戸先側框１００、１０１で框部材の形状が異なるものとした場合、戸先側框の前後面は外観上同形状であることが求められる結果、補強材１０２、１０３も左右で異なる形状にせざるを得ないことになる。そうすると、左右の戸先側框１００、１０１で耐火性が異なり、一方にのみ熱変形が生じて防火性能が維持できなくなるといった事態が懸念される。本発明ではこうした問題点が解消されている。
【００２４】
また、本実施形態において、凸部材４０は先端部４１が先細形状となっており、その先端には第二戸先側框３１の凹溝３２の溝底に当接する緩衝材４３が取り付けられており、指詰めに配慮されたものとなっている。図６（Ａ）の変形例においては、凸部材４０の先端部４１が、第一戸先側框２１の戸先側先端よりも突出した位置から先細形状となっていることにより、間隙が生じてしまうことを可及的に避けられる。
【００２５】
さらに、凸部材４０は框部材２ｅと同じ素材であるアルミニウム材で形成されているため、防火戸１の開放時に凸部材４０が露出した場合であっても違和感が少なく、意匠性に優れる。
【００２６】
上記実施形態においては、いわゆる自動ドアについて説明したが、これに限られず、駆動部を有さない、手動開閉式の防火戸においても本発明を採用することができる。
【産業上の利用可能性】
【００２７】
本発明は、防火設備に係る分野に利用可能である。
【符号の説明】
【００２８】
１    防火戸
２ｃ  補強材
２ｅ  框部材
２ｆ  係止凸部（係止部）
２０  第一戸体
２１  第一戸先側框
２２  凹溝
３０  第二戸体
３１  第二戸先側框
３２  凹溝
４０  凸部材
４１  先端部
４３  緩衝材  
【図１】
2020070580.tif 000003
【図２】
2020070580.tif 000004
【図３】
2020070580.tif 000005
【図４】
2020070580.tif 000006
【図５】
2020070580.tif 000007
【図６】
2020070580.tif 000008